(57)【要約】【課題】本体部の開口を塞ぐユニット部が開かれるときに、前記ユニット部の端部に設けられた案内部材が前記本体部の部品と衝突することを回避する。【解決手段】本体部１に設けられた第１ローラー３１１およびユニット部５に設けられた第２ローラー３１２を有する搬送ローラー対３１が、本体部１とユニット部５との間の縦方向に沿う搬送路３０１に沿ってシート９を搬送する。第２案内部材３２２は、前記ユニット部５の下端部に設けられ、第１案内部材３２１とともに前記搬送路３０１に沿ってシート９を案内する。支持部５２は、前記ユニット部５に設けられ、前記第２案内部材における前記縦方向に直交する横方向の両端部を前記縦方向に沿って変位可能に支持する。退避機構１１は、前記ユニット部５の前記閉位置から前記開位置への変位に連動して、前記第２案内部材３２２を基準位置から退避位置へ変位させる。【選択図】図５
2020083488.tif 000002
【特許請求の範囲】
【請求項１】
縦方向に沿う主搬送路が内部に形成された筐体である本体部と、
前記主搬送路を覆う閉位置と前記主搬送路を解放する開位置との間で変位可能な状態で、前記本体部により支持されたユニット部と、
前記本体部に設けられた第１ローラーおよび前記ユニット部に設けられた第２ローラーを有し、前記主搬送路に沿ってシートを搬送する搬送ローラー対と、
前記本体部に設けられ、前記主搬送路に沿ってシートを案内する第１案内部材と、
前記ユニット部の下端部において前記第１案内部材に対向して設けられ、前記第１案内部材とともに前記主搬送路に沿って前記シートを案内する第２案内部材と、
前記ユニット部に設けられ、前記第２案内部材における前記縦方向に直交する横方向の両端部を前記縦方向に沿って変位可能に支持する支持部と、
前記ユニット部の前記閉位置から前記開位置への変位に連動して、前記第２案内部材を前記ユニット部の下端の基準位置から前記基準位置よりも上方へ変位させる退避機構と、を備えるシート搬送装置。
【請求項２】
前記第２案内部材は、
前記横方向の両端において前記横方向に沿って両外側へ突出した突出部と、
前記第１案内部材との間の前記主搬送路を通過する第１シートを案内する内側案内面と、
前記第１案内部材に対し反対側の副搬送路を通過する第２シートを案内する外側案内面と、を有し、
前記支持部は、前記突出部を回転可能かつ前記縦方向に沿って変位可能に支持する、請求項１に記載のシート搬送装置。
【請求項３】
前記支持部は、前記突出部が挿入され前記縦方向を長手方向とする長孔を有し、
前記退避機構は、
前記本体部に設けられ、前記ユニット部が前記閉位置から前記開位置へ変位するときに前記突出部を摺動させることにより前記突出部に上方への力を加える傾斜面を有する接触部を備え、
前記接触部は、前記ユニット部が前記閉位置から前記開位置へ変位するときに前記傾斜面から前記突出部に加える力により、前記第２案内部材を前記基準位置から上方へ変位させる、請求項２に記載のシート搬送装置。
【請求項４】
前記退避機構は、
前記突出部に回転可能に支持された介在部材と、
前記ユニット部に支持され、前記介在部材を上方へ弾性付勢することにより前記第２案内部材を前記基準位置よりも上方の退避位置に保持する弾性部材と、
前記本体部に設けられ、前記ユニット部が前記開位置から前記閉位置へ変位するときに前記介在部材を摺動させることにより前記介在部材に下方への力を加える傾斜面を有する接触部と、を備え、
前記ユニット部が前記開位置から前記閉位置へ変位するときに、前記接触部が、前記傾斜面から前記介在部材に加える力により、前記第２案内部材を前記弾性部材の弾性力に抗して前記退避位置から前記基準位置へ変位させ、
前記ユニット部が前記閉位置から前記開位置へ変位するときに、前記接触部が前記介在部材に加える力を解除し、前記弾性部材が、前記介在部材に加える力により前記第２案内部材を前記基準位置から前記退避位置へ変位させる、請求項２に記載のシート搬送装置。
【請求項５】
前記ユニット部は、前記横方向の一端において前記本体部に設けられたヒンジによって水平面に沿って回転可能に支持されている、請求項１から請求項４のいずれか１項に記載のシート搬送装置。
【請求項６】
請求項１から請求項５のいずれか１項に記載のシート搬送装置と、
前記シート搬送装置によって搬送されるシートに画像を形成するプリント装置と、を備える画像形成装置。
【発明の詳細な説明】
【技術分野】
【０００１】
本発明は、本体部に対してユニット部を開くことが可能なシート搬送装置およびそれを備える画像形成装置に関する。
【背景技術】
【０００２】
画像形成装置は、シートを搬送するシート搬送装置と、搬送されるシートに画像を形成するプリント装置とを備える。
【０００３】
前記シート搬送装置において、シートを搬送する一対のローラーおよびシートを案内する一対の案内部材が、本体部とユニット部とに分かれて設けられることがある（例えば、特許文献１参照）。
【０００４】
前記ユニット部は、前記本体部に形成された搬送路を覆う閉位置と前記搬送路を解放する開位置との間で変位可能に支持されている。前記ユニット部が開かれることにより、前記一対の案内部材の間のシート搬送路が解放され、シートのジャム処理が容易となる。
【先行技術文献】
【特許文献】
【０００５】
【特許文献１】特開平７−４８０４７号公報
【発明の概要】
【発明が解決しようとする課題】
【０００６】
ところで、前記シートが、前記本体部と前記ユニット部との境界に沿って搬送される場合、前記案内部材が、前記本体部における前記ユニット部寄りの端部と、前記ユニット部における前記本体部寄りの端部とに設けられる。
【０００７】
しかしながら、前記案内部材が前記ユニット部における前記本体部寄りの端部に設けられる場合、前記ユニット部が開かれるときに、前記案内部材が前記本体部の端部に設けられた他の部品と衝突するおそれがある。
【０００８】
前記案内部材が他の部品と衝突すると、前記案内部材または他の部品が破損するおそれがある。
【０００９】
本発明の目的は、本体部の搬送路を塞ぐユニット部が開かれるときに、前記ユニット部の端部に設けられた案内部材が前記本体部の部品と衝突することを回避できるシート搬送装置およびそれを備える画像形成装置を提供することにある。
【課題を解決するための手段】
【００１０】
本発明の一の局面に係るシート搬送装置は、本体部と、ユニット部と、搬送ローラー対と、第１案内部材と、第２案内部材と、支持部と、退避機構と、を備える。前記本体部は、縦方向に沿う主搬送路が内部に形成された筐体である。前記ユニット部は、前記主搬送路を覆う閉位置と前記主搬送路を解放する開位置との間で変位可能な状態で、前記本体部により支持されている。前記搬送ローラー対は、前記本体部に設けられた第１ローラーおよび前記ユニット部に設けられた第２ローラーを有し、前記主搬送路に沿ってシートを搬送する。前記第１案内部材は、前記本体部に設けられ、前記主搬送路に沿ってシートを案内する。前記第２案内部材は、前記ユニット部の下端部において前記第１案内部材に対向して設けられ、前記第１案内部材とともに前記主搬送路に沿って前記シートを案内する。前記支持部は、前記ユニット部に設けられ、前記第２案内部材における前記縦方向に直交する横方向の両端部を前記縦方向に沿って変位可能に支持する。前記退避機構は、前記ユニット部の前記閉位置から前記開位置への変位に連動して、前記第２案内部材を前記ユニット部の下端における前記シートを案内する基準位置から前記基準位置よりも上方の退避位置へ変位させる。
【００１１】
本発明の他の局面に係る画像形成装置は、前記シート搬送装置と、プリント装置とを備える。前記プリント装置は、前記シート搬送装置によって搬送されるシートに画像を形成する。
【発明の効果】
【００１２】
本発明によれば、本体部の搬送路を覆うユニット部が開かれるときに、前記ユニット部の端部に設けられた案内部材が前記本体部の部品と衝突することを回避できるシート搬送装置およびそれを備える画像形成装置を提供することが可能になる。
【図面の簡単な説明】
【００１３】
【図１】図１は、第１実施形態に係る画像形成装置の正面図である。
【図２】図２は、第１実施形態に係る画像形成装置の本体部の構成図である。
【図３】図３は、第１実施形態に係る画像形成装置におけるユニット部が開かれた本体部の斜視図である。
【図４】図４は、第１実施形態に係る画像形成装置が備える第２案内部材の正面図である。
【図５】図５は、第１実施形態に係る画像形成装置における本体部と閉状態のユニット部との境界部分の構成図である。
【図６】図６は、第１実施形態に係る画像形成装置における本体部と閉位置よりも開位置側へ変位したユニット部との境界部分の構成図である。
【図７】図７は、第２実施形態に係る画像形成装置における本体部と閉位置よりも開位置側へ変位したユニット部との境界部分の構成図である。
【図８】図８は、第２実施形態に係る画像形成装置における本体部と閉状態のユニット部との境界部分の構成図である。
【発明を実施するための形態】
【００１４】
以下、図面を参照しながら、本発明の実施形態について説明する。なお、以下の実施形態は、本発明を具体化した一例であって、本発明の技術的範囲を限定するものではない。
【００１５】
［第１実施形態：画像形成装置１０の構成］
第１実施形態に係る画像形成装置１０は、シート９に画像を形成するプリント処理を行う装置である（図２参照）。
【００１６】
図１に示されるように、画像形成装置１０は、主装置１００と主装置１００に接続されたシート供給ユニット６とを備える。シート供給ユニット６は、本体部１にシート９を供給するオプション装置である。
【００１７】
図３に示されるように、主装置１００は、本体部１およびユニット部５を含む。本体部１は、縦方向に沿う主搬送路３０１が内部に形成された筐体である。本体部１には、主搬送路３０１を露出させる開口１ａが形成されている。ユニット部５は、主搬送路３０１を覆う閉位置と主搬送路３０１を解放する開位置との間で変位可能な状態で、本体部１により支持されている。ユニット部５が前記閉位置に保持されることにより、本体部１の開口１ａが塞がれ、ユニット部５が前記開位置へ移動されることにより、本体部１の開口１ａが解放される。
【００１８】
各図に示される第１方向Ｄ１、第２方向Ｄ２および第３方向Ｄ３は、それぞれ縦方向、奥行方向および幅方向である。前記縦方向は、鉛直方向である。
【００１９】
第２方向Ｄ２は、第１方向Ｄ１に直交し、水平な方向である。第２方向Ｄ２は、前記縦方向に直交する横方向に相当する。第３方向Ｄ３は、第１方向Ｄ１および第２方向Ｄ２に直交し、水平な方向である。
【００２０】
本実施形態において、ユニット部５は、第２方向Ｄ２の一端において、本体部１に設けられたヒンジ１ｙにより、水平面に沿って回転可能に支持されている。これにより、ユニット部５は、前記閉位置と前記開位置との間で変位可能である。
【００２１】
図２に示される例では、画像形成装置１０は、電子写真方式で前記プリント処理を実行する。シート９は、用紙または封筒などのシート状の画像形成媒体である。
【００２２】
なお、画像形成装置１０が、インクジェット方式などの他の方式で前記プリント処理を実行する装置であることも考えられる。
【００２３】
図２に示されるように、主装置１００は、本体部１内とユニット部５内とに分かれて設けられたシート搬送装置３と、本体部１内に設けられたプリント装置４０とを備える。
【００２４】
シート搬送装置３は、本体部１内の主搬送路３０１に沿ってシート９を搬送し、さらにシート９を主搬送路３０１から排出トレイ１ｘへ排出する。シート搬送装置３は、シート収容部２に収容されたシート９を主搬送路３０１へ送り出す送出ローラー対３０を備える。
【００２５】
さらに、シート搬送装置３は、シート供給ユニット６内にもシート収容部２および送出ローラー対３０を備える（図１参照）。図２，３に示されるように、本体部１の側面におけるユニット部５の下方には、シート搬入口１ｂが形成されている。シート供給ユニット６内の送出ローラー対３０は、シート供給ユニット６内のシート収容部２から主搬送路３０１へ向けてシート９を送り出す。
【００２６】
さらに、シート搬送装置３は、シート９を挟んで回転することによってシート９を主搬送路３０１に沿って搬送する複数組の搬送ローラー対３１を備える（図２参照）。複数組の搬送ローラー対３１は、不図示のモーターによって回転駆動される。
【００２７】
プリント装置４０は、シート搬送装置３によって主搬送路３０１に沿って搬送されるシート９に画像を形成する。プリント装置４０は、作像装置４、光走査装置４６、転写装置４７および定着装置４８を備える。作像装置４は、ドラム状の感光体４１、帯電装置４２、現像装置４３およびドラムクリーニング装置４５などを含む。
【００２８】
図２に示される画像形成装置１０は、タンデム式のカラー画像形成装置である。そのため、プリント装置４０は、複数の色のトナーに対応した複数の作像装置４を備える。さらに、転写装置４７は、中間転写ベルト４７１と、複数の作像装置４に対応する複数のベルト転写装置４７２と、シート転写装置４７３とを備える。
【００２９】
プリント装置４０は、イエロー、シアン、マゼンタおよびブラックの４色の前記トナーに対応する４つの作像装置４および４つのベルト転写装置４７２を備える。
【００３０】
作像装置４において、感光体４１が回転し、帯電装置４２が感光体４１の表面を帯電させる。さらに、光走査装置４６が、レーザー光の走査によって感光体４１の表面に静電潜像を書き込む。さらに、現像装置４３が、前記静電潜像をトナー像として現像する。
【００３１】
転写装置４７において、ベルト転写装置４７２各々が、感光体４１各々の表面の前記トナー像を中間転写ベルト４７１の表面へ転写する。これにより、中間転写ベルト４７１の表面にカラーの前記トナー像が形成される。
【００３２】
シート転写装置４７３は、中間転写ベルト４７１に形成された前記トナー像をシート９に転写する。定着装置４８は、シート９に転写された前記トナー像を、加熱および加圧することによってシート９に定着させる。
【００３３】
一部の搬送ローラー対３１は、本体部１に設けられた第１ローラー３１１と、ユニット部５に設けられた第２ローラー３１２とを有する（図２，３参照）。このように、本体部１とユニット部５とに分けて配置された搬送ローラー対３１は、本体部１とユニット部５との間の主搬送路３０１に沿ってシート９を搬送する。
【００３４】
本実施形態において、本体部１とユニット部５との間の主搬送路３０１は、第１方向Ｄ１に沿う搬送路、即ち、縦方向に沿う搬送路である。
【００３５】
さらに、シート搬送装置３は、本体部１に設けられた第１案内部材３２１と、ユニット部５に設けられた第２案内部材３２２とを備える。第１案内部材３２１および第２案内部材３２２は、本体部１とユニット部５との間の主搬送路３０１に沿ってシート９を案内する。
【００３６】
本実施形態において、シート搬送装置３は、ユニット部５に設けられた第３案内部材３２３も備える。第２案内部材３２２および第３案内部材３２３は、シート供給ユニット６から送り出されるシート９を主搬送路３０１へ向けて案内する。
【００３７】
即ち、第３案内部材３２３は、第２案内部材３２２を基準にして第１案内部材３２１に対し反対側に配置されている。そして、第２案内部材３２２は、内側案内面３２２ａと外側案内面３２２ｂとを有する（図２参照）。
【００３８】
内側案内面３２２ａは、第１案内部材３２１と第２案内部材３２２との間の主搬送路３０１を通過する第１シートを案内する。外側案内面３２２ｂは、第１案内部材３２１に対し反対側の導入搬送路３０２を通過する第２シートを案内する。導入搬送路３０２は、副搬送路の一例である。
【００３９】
導入搬送路３０２は、第２案内部材３２２と第３案内部材３２３との間の搬送路であり、シート供給ユニット６からシート搬入口１ｂを通じて本体部１内に搬入される前記第２シートの通路である。導入搬送路３０２は、本体部１とユニット部５とに跨がった搬送路である。
【００４０】
図２に示されるように、本体部１におけるユニット部５との境界部分に、第１ユニット下案内部材３２４、第２ユニット下案内部材３２５および第３ユニット下案内部材３２６が設けられている。
【００４１】
第１ユニット下案内部材３２４は、前記第１シートを主搬送路３０１に沿って案内する。第１ユニット下案内部材３２４は、第１案内部材３２１および第２案内部材３２２とともに、主搬送路３０１を形成している。
【００４２】
一方、第２ユニット下案内部材３２５および第３ユニット下案内部材３２６は、本体部１内において導入搬送路３０２の一部を形成し、第２案内部材３２２および第３案内部材３２３は、ユニット部５内において導入搬送路３０２の他の一部を形成している。導入搬送路３０２は、主搬送路３０１へ合流する。
【００４３】
本実施形態において、前記第１シートは、本体部１内のシート収容部２から主搬送路３０１へ送り出されるシート９であり、前記第２シートは、シート供給ユニット６から導入搬送路３０２へ送り出されるシート９である。
【００４４】
第２案内部材３２２は、ユニット部５の下端部において第１案内部材３２１に対向して設けられている。これにより、第２案内部材３２２は、第１案内部材３２１とともに主搬送路３０１に沿って前記第１シートを案内する。
【００４５】
前記第１シートを主搬送路３０１に沿って適切に案内するための第２案内部材３２２の向きと、前記第２シートを導入搬送路３０２に沿って適切に案内するための第２案内部材３２２の向きとは若干異なる。
【００４６】
そこで、第２案内部材３２２は、第１方向Ｄ１に対する角度が変化するように揺動可能に支持されている。
【００４７】
具体的には、図４に示されるように、第２案内部材３２２は、第２方向Ｄ２の両端において第２方向Ｄ２に沿って両外側へ突出した一対の突出部３２２ｃを有する。一方、図３に示されるように、ユニット部５は、本体部１の開口１ａを覆う外装パネル５１と、外装パネル５１の内側面に起立して設けられた一対の側板５２とを有する。
【００４８】
一対の突出部３２２ｃは、一対の側板５２によって回転可能に支持されている。これにより、第２案内部材３２２は、第１方向Ｄ１に対する角度が変化するように変位可能である。
【００４９】
第２案内部材３２２は、前記第１シートから受ける接触圧力または前記第２シートから受ける接触圧力に応じて変位する。その結果、第２案内部材３２２は、前記第１シートが主搬送路３０１を通過するときに、前記第１シートの案内に適した位置へ変位し、前記第２シートが導入搬送路３０２を通過するときに、前記第２シートの案内に適した位置へ変位する。
【００５０】
前述したように、ユニット部５は、本体部１の開口１ａを開閉可能に支持されている。ユニット部５が開かれることにより、第１ローラー３１１および第１案内部材３２１と、第２ローラー３１２および第２案内部材３２２との間の通路である主搬送路３０１が解放され、シート９のジャム処理が容易となる。
【００５１】
ところで、シート９が、本体部１とユニット部５との境界に沿って搬送される場合、シート９を案内する部材が、本体部１におけるユニット部５寄りの端部と、ユニット部５における本体部１寄りの端部とに設けられる。
【００５２】
本実施形態では、第１ユニット下案内部材３２４が、本体部１におけるユニット部５寄りの端部に設けられており、第２案内部材３２２が、ユニット部５における本体部１寄りの端部に設けられている。ユニット部５における本体部１寄りの端部は、ユニット部５の下端部である。
【００５３】
しかしながら、第２案内部材３２２がユニット部５における本体部１寄りの端部に設けられる場合、ユニット部５が開かれるときに、第２案内部材３２２が本体部１の端部に設けられた他の部品と衝突するおそれがある。
【００５４】
例えば、ユニット部５が開かれるときに、第２案内部材３２２が第１ユニット下案内部材３２４と衝突するおそれがある。
【００５５】
第２案内部材３２２が他の部品と衝突すると、第２案内部材３２２または他の部品が破損するおそれがある。
【００５６】
画像形成装置１０において、シート搬送装置３は、本体部１の開口１ａを塞ぐユニット部５が開かれるときに、ユニット部５の下端部に設けられた第２案内部材３２２が本体部１の部品と衝突することを回避できる構造を備える。以下、その構造について説明する。
【００５７】
図５に示されるように、ユニット部５に設けられた一対の側板５２は、第２案内部材３２２の一対の突出部３２２ｃが挿入される長孔５２ａを有する。長孔５２ａは、第１方向Ｄ１を長手方向とする孔である。
【００５８】
従って、一対の側板５２における長孔５２ａが形成された部分は、一対の突出部３２２ｃを回転可能かつ第１方向Ｄ１に沿って変位可能に支持する。これにより、第２案内部材３２２は、基準位置から前記基準位置よりも上方の退避位置へ変位可能である。
【００５９】
図５は、ユニット部５が前記閉位置に存在し、第２案内部材３２２が前記基準位置に存在する状態を示す。図６は、ユニット部５が前記閉位置よりも前記開位置側へ変位した位置に存在し、第２案内部材３２２が前記退避位置に存在する状態を示す。
【００６０】
前記基準位置は、ユニット部５の下端におけるシート９を案内するときの第２案内部材３２２の位置である。前記退避位置は、前記基準位置よりも本体部１から離れた位置である。
【００６１】
一対の側板５２における長孔５２ａが形成された部分は、第２案内部材３２２における第２方向Ｄ２の両端部を第１方向Ｄ１に沿って変位可能に支持する支持部の一例である。
【００６２】
さらに、シート搬送装置３は、本体部１におけるユニット部５との境界部分からユニット部５側へ張り出して設けられた一対の接触部１１を備える。一対の接触部１１は、一対の突出部３２２ｃに対向して設けられている。
【００６３】
一対の接触部１１各々は、第１傾斜面１１ａおよび第２傾斜面１１ｂを有する。第１傾斜面１１ａは、ユニット部５が前記閉位置から前記開位置へ変位するときに突出部３２２ｃを摺動させる面である。第２傾斜面１１ｂは、ユニット部５が前記開位置から前記閉位置へ変位するときに突出部３２２ｃを摺動させる面である。
【００６４】
第１傾斜面１１ａは、ユニット部５が開かれるときに突出部３２２ｃを摺動させることにより、突出部３２２ｃに上方への力を加える。これにより、一対の接触部１１は、第２案内部材３２２を前記基準位置から前記退避位置へ変位させる。
【００６５】
一方、第２傾斜面１１ｂは、ユニット部５が閉じられるときに突出部３２２ｃを摺動させることにより、突出部３２２ｃに上方への力を加える。これにより、一対の接触部１１は、第２案内部材３２２を前記基準位置から前記退避位置へ変位させる。
【００６６】
また、第１傾斜面１１ａは、ユニット部５が閉じられるときに突出部３２２ｃを摺動させることにより、突出部３２２ｃを下方へ案内する。その際、突出部３２２ｃは、第２案内部材３２２の自重によって第１傾斜面１１ａを滑り降りる。これにより、ユニット部５が前記閉位置まで変位したときに、第２案内部材３２２は前記基準位置へ案内される。
【００６７】
一対の接触部１１は、ユニット部５の前記閉位置から前記開位置への変位に連動して、第２案内部材３２２を前記基準位置から前記退避位置へ変位させる退避機構の一例である。
【００６８】
本実施形態によれば、ユニット部５が開かれるときに、ユニット部５の下端部に設けられた第２案内部材３２２が本体部１の部品と衝突することを回避できる。
【００６９】
[第２実施形態]
次に、図７，８を参照しつつ、画像形成装置１０の応用例である、第２実施形態に係る画像形成装置１０Ａについて説明する。
【００７０】
画像形成装置１０Ａは、画像形成装置１０と比較して、第２案内部材３２２を前記基準位置から前記退避位置へ変位させる退避機構の構造のみが異なる。以下、画像形成装置１０Ａの退避機構について説明する。
【００７１】
画像形成装置１０Ａの前記退避機構は、一対の介在部材５３と、一対のバネ５４と、一対の接触部１２とを備える。なお、図７，８は、一対の介在部材５３の一方、一対のバネ５４の一方および一対の接触部１２の一方のみを示す。
【００７２】
一対の介在部材５３は、一対の突出部３２２ｃに回転可能に支持された筒状の部材である。一対のバネ５４は、ユニット部５の一対の側板５２に支持されている。
【００７３】
一対のバネ５４は、介在部材５３を上方へ弾性付勢することにより第２案内部材３２２を前記退避位置に保持する。図７は、第２案内部材３２２が前記退避位置に保持されている状態を示す。なお、バネ５４は弾性部材の一例である。バネ５４の代わりにゴムが採用されることも考えられる。
【００７４】
一対の接触部１２は、本体部１におけるユニット部５との境界部分からユニット部５側へ張り出して設けられている。一対の接触部１２は、ユニット部５が前記開位置から前記閉位置へ変位するときに一対の介在部材５３を摺動させることにより一対の介在部材５３に下方への力を加える傾斜面１２ａを有する。
【００７５】
ユニット部５が前記開位置から前記閉位置へ変位するときに、接触部１２は、傾斜面１２ａから介在部材５３へ加える力により、第２案内部材３２２をバネ５４の弾性力に抗して前記退避位置から前記基準位置へ変位させる（図８参照）。
【００７６】
一方、ユニット部５が前記閉位置から前記開位置へ変位するときに、一対の介在部材５３が一対の接触部１２から離れる（図７参照）。これにより、一対の接触部１２は、一対の介在部材５３に加える力を解除し、バネ５４が、介在部材５３に加える力によって第２案内部材３２２を前記基準位置から前記退避位置へ変位させる（図７参照）。
【００７７】
画像形成装置１０Ａが採用される場合も、画像形成装置１０が採用される場合と同様の効果が得られる。また、画像形成装置１０Ａにおいては、ユニット部５が前記閉位置から離れた位置に存在する状態において、第２案内部材３２２が、バネ５４の作用により常に前記退避位置に保持される。
【００７８】
従って、画像形成装置１０Ａの前記退避機構が採用されれば、第２案内部材３２２が本体部１の部品と衝突することがより確実に回避される。
【符号の説明】
【００７９】
１        ：本体部
１ａ      ：開口
１ｂ      ：シート搬入口
１ｘ      ：排出トレイ
１ｙ      ：ヒンジ
２        ：シート収容部
３        ：シート搬送装置
４        ：作像装置
５        ：ユニット部
６        ：シート供給ユニット
９        ：シート
１０      ：画像形成装置
１０Ａ    ：画像形成装置
１１      ：接触部
１１ａ    ：第１傾斜面
１１ｂ    ：第２傾斜面
１２      ：接触部
１２ａ    ：傾斜面
３０      ：送出ローラー対
３１      ：搬送ローラー対
４０      ：プリント装置
４１      ：感光体
４２      ：帯電装置
４３      ：現像装置
４５      ：ドラムクリーニング装置
４６      ：光走査装置
４７      ：転写装置
４８      ：定着装置
５１      ：外装パネル
５２      ：側板
５２ａ    ：長孔
５３      ：介在部材
５４      ：バネ
１００    ：主装置
３０１    ：主搬送路
３０２    ：導入搬送路
３１１    ：第１ローラー
３１２    ：第２ローラー
３２１    ：第１案内部材
３２２    ：第２案内部材
３２２ａ  ：内側案内面
３２２ｂ  ：外側案内面
３２２ｃ  ：突出部
３２３    ：第３案内部材
３２４    ：第１ユニット下案内部材
３２５    ：第２ユニット下案内部材
３２６    ：第３ユニット下案内部材
４７１    ：中間転写ベルト
４７２    ：ベルト転写装置
４７３    ：シート転写装置
Ｄ１      ：第１方向（縦方向）
Ｄ２      ：第２方向（横方向）
Ｄ３      ：第３方向
【図１】
2020083488.tif 000003
【図２】
2020083488.tif 000004
【図３】
2020083488.tif 000005
【図４】
2020083488.tif 000006
【図５】
2020083488.tif 000007
【図６】
2020083488.tif 000008
【図７】
2020083488.tif 000009
【図８】
2020083488.tif 000010